(57)【要約】【課題】光ディスク装置において、ＦＧを用いることなくＮＢＣＡの情報が再生できるようにする。【解決手段】光ディスク装置１は、ＮＢＣＡからの情報の再生に先立って、光ピックアップを物理アドレス３００００ＨＥＸへシークすると共に（＃１）、スピンドルモータのＣＬＶ倍速を１．０４倍速に制御して（＃２）、スピンドルモータの回転数を１４４０ｒｐｍに設定する。そして、このときのスピンドル出力を取得して（＃３）、その平均値を算出し（＃４）、算出された平均値を記憶する（＃５）。ＮＢＣＡの情報を再生する際、スピンドル出力がこの平均値になるように定電圧制御することにより、スピンドルモータの回転数を１４４０ｒｐｍに制御する。【選択図】  図４
2006172594.tif 000002
【特許請求の範囲】
【請求項１】
光ディスクを回転駆動するスピンドルモータと、前記光ディスクに記録された情報を再生するために前記光ディスクの記録面にレーザ光を照射して、該光ディスクからの反射光を受光する光ピックアップと、前記光ディスクのＮＢＣＡ（Narrow  Burst  Cutting  Area）の情報を再生するために前記スピンドルモータの回転数を所定回転数に制御し、前記光ピックアップを介してＮＢＣＡの情報を再生させるＮＢＣＡ情報再生制御手段と、
を備えた光ディスク装置において、
前記スピンドルモータをＰＷＭ（Pulse  Width  Modulation）制御するためのスピンドル出力を、前記スピンドルモータに対して出力する出力手段と、
前記出力手段にＣＬＶ（Constant  Linear  Velocity）制御信号を出力して、前記スピンドルモータをＣＬＶ制御するＣＬＶ制御手段と、
前記出力手段に定電圧制御信号を出力して、前記スピンドルモータを定電圧制御する定電圧制御手段と、
前記光ディスクのＮＢＣＡの情報を再生する際に用いられる前記所定回転数に対応する、前記光ディスクの任意の物理アドレスにおける線速度を算出する線速度算出手段と、
前記所定物理アドレスにおいて、前記線速度算出手段により算出された線速度でＣＬＶ制御し、このときの前記スピンドルモータに対する制御特徴量を検出する制御特徴量検出手段と、
前記制御特徴量検出手段により検出された制御特徴量について、前記光ディスク１回転分の平均値を算出する平均値算出手段とを備え、
前記制御特徴量が、前記スピンドル出力、前記スピンドルモータの逆起電圧、前記スピンドル出力のＤｕｔｙ比、及び前記ＣＬＶ制御信号のいずれかであって、
前記ＮＢＣＡ情報再生制御手段は、前記ＮＢＣＡの情報を再生する際、前記制御特徴量の平均値になるように前記スピンドルモータを定電圧制御することにより、スピンドルモータの回転数を前記所定回転数に制御し、ＦＧ（Frequency  Generator）を用いることなくＮＢＣＡの情報を再生することを特徴とする光ディスク装置。
【請求項２】
光ディスクを回転駆動するスピンドルモータと、前記光ディスクに記録された情報を再生するために前記光ディスクの記録面にレーザ光を照射して、該光ディスクからの反射光を受光する光ピックアップと、前記光ディスクのＮＢＣＡの情報を再生するために前記スピンドルモータの回転数を所定回転数に制御し、前記光ピックアップを介してＮＢＣＡの情報を再生させるＮＢＣＡ情報再生制御手段と、
を備えた光ディスク装置において、
前記スピンドルモータを回転制御するためのスピンドル出力を、前記スピンドルモータに対して出力する出力手段と、
前記出力手段にＣＬＶ制御信号を出力して、前記スピンドルモータをＣＬＶ制御するＣＬＶ制御手段と、
前記出力手段に定電圧制御信号を出力して、前記スピンドルモータを定電圧制御する定電圧制御手段と、
前記光ディスクの所定物理アドレスにおいて、前記光ディスクのＮＢＣＡの情報を再生する際に用いられる前記所定回転数に対応する線速度でＣＬＶ制御し、このときの前記スピンドルモータに対する制御特徴量を検出する制御特徴量検出手段とを備え、
前記ＮＢＣＡ情報再生制御手段は、前記ＮＢＣＡの情報を再生する際、前記制御特徴量に基づいて、前記スピンドルモータを定電圧制御することにより、スピンドルモータの回転数を前記所定回転数に制御し、ＦＧを用いることなくＮＢＣＡの情報を再生することを特徴とする光ディスク装置。
【請求項３】
前記制御特徴量が、前記スピンドル出力、前記スピンドルモータの逆起電圧、前記スピンドル出力のＤｕｔｙ比、及び前記ＣＬＶ制御信号のいずれかであることを特徴とする請求項２に記載の光ディスク装置。
【発明の詳細な説明】
【技術分野】
【０００１】
本発明は、光ディスク装置に関する。
【背景技術】
【０００２】
従来からＤＶＤ等の記録媒体に対する著作権保護技術の一つとして、ＣＰＲＭ（Content  Protection  for  Recordable  Media）等が知られている。ＣＰＲＭにおいては、図１４に示されるように、光ディスク２のリードインエリア２１よりも更に内周に位置するＮＢＣＡ（Narrow  Burst  Cutting  Area）２２に記録された情報が利用される。
【０００３】
ところで、ＮＢＣＡ２２の情報を再生するためには、光ディスク２を所定回転数（１４４０ｒｐｍ）で回転させながら、光ピックアップ１１を介して情報を再生する必要がある。このようなＮＢＣＡ２２からの情報の再生は、ＣＡＶ（Constant  Angular  Velocity）制御系を有し、正確に角速度制御することができる光ディスク装置において問題にならない。一方、ＮＢＣＡ２２の情報は、ＹＡＧレーザ等によって光ディスク２の反射面を飛ばすことによって記録されるため、ＮＢＣＡ２２ではＣＬＶ（Constant  Linear  Velocity）制御できない。このため、ＣＬＶ制御により情報を再生する光ディスク装置（例えば、ＤＶＤ−Ｒ／ＲＷ等）においては、別途、ＦＧ（Frequency  Generator）等の角速度を正確に制御するための回路、機構等を搭載することが必要となる。しかしながら、ＣＬＶ制御系以外に、ＦＧ等を付加することは装置の大型化やコストアップを招き好ましくない。
【０００４】
なお、ＦＧを用いることなくＮＢＣＡ２２からの情報の再生ができるようにした光ディスク装置等として、光ディスク２のリードインエリア２１の再生に対応した回転速度になるようにＣＬＶ制御した後、このＣＬＶ制御をオフにすると共に、光ピックアップをＮＢＣＡ２２に移動させてＮＢＣＡ２２の情報を再生する装置や、スピンドルモータを所定期間だけ加速動作させた後、惰性回転状態に切り換えることでＮＢＣＡ２２の情報を再生する装置、スピンドルモータの加速動作をＮＢＣＡ２２に存在する同期信号に基づいて制御することでＮＢＣＡ２２の情報を再生する方法等が知られている（例えば、特許文献１乃至特許文献４参照）
【特許文献１】特開平１１−７３６４８号公報
【特許文献２】特開平１０−２２８６４６号公報
【特許文献３】特開平１０−２２８７１３号公報
【特許文献４】特開平８−２８７５９０号公報
【発明の開示】
【発明が解決しようとする課題】
【０００５】
しかしながら、光ディスク２のＮＢＣＡ２２の情報を再生する際に用いられる所定回転数に対応する線速度でＣＬＶ制御し、このときに得られるスピンドルモータに対する制御特徴量に基づいて、上記所定回転数を維持してＮＢＣＡの情報を再生することができる装置は知られていない。
【０００６】
本発明は、上記課題を解決するためになされたものであり、ＦＧを用いることなくＮＢＣＡからの情報の読み出しが可能な光ディスク装置を提供することを目的とする。
【課題を解決するための手段】
【０００７】
上記目的を達成するために請求項１の発明は、光ディスクを回転駆動するスピンドルモータと、前記光ディスクに記録された情報を再生するために前記光ディスクの記録面にレーザ光を照射して、該光ディスクからの反射光を受光する光ピックアップと、前記光ディスクのＮＢＣＡ（Narrow  Burst  Cutting  Area）の情報を再生するために前記スピンドルモータの回転数を所定回転数に制御し、前記光ピックアップを介してＮＢＣＡの情報を再生させるＮＢＣＡ情報再生制御手段と、を備えた光ディスク装置において、前記スピンドルモータをＰＷＭ（Pulse  Width  Modulation）制御するためのスピンドル出力を、前記スピンドルモータに対して出力する出力手段と、前記出力手段にＣＬＶ（Constant  Linear  Velocity）制御信号を出力して、前記スピンドルモータをＣＬＶ制御するＣＬＶ制御手段と、前記出力手段に定電圧制御信号を出力して、前記スピンドルモータを定電圧制御する定電圧制御手段と、前記光ディスクのＮＢＣＡの情報を再生する際に用いられる前記所定回転数に対応する、前記光ディスクの任意の物理アドレスにおける線速度を算出する線速度算出手段と、前記所定物理アドレスにおいて、前記線速度算出手段により算出された線速度でＣＬＶ制御し、このときの前記スピンドルモータに対する制御特徴量を検出する制御特徴量検出手段と、前記制御特徴量検出手段により検出された制御特徴量について、前記光ディスク１回転分の平均値を算出する平均値算出手段とを備え、前記制御特徴量が、前記スピンドル出力、前記スピンドルモータの逆起電圧、前記スピンドル出力のＤｕｔｙ比、及び前記ＣＬＶ制御信号のいずれかであって、前記ＮＢＣＡ情報再生制御手段は、前記ＮＢＣＡの情報を再生する際、前記制御特徴量の平均値になるように前記スピンドルモータを定電圧制御することにより、スピンドルモータの回転数を前記所定回転数に制御し、ＦＧ（Frequency  Generator）を用いることなくＮＢＣＡの情報を再生することを特徴とする。
【０００８】
請求項２の発明は、光ディスクを回転駆動するスピンドルモータと、前記光ディスクに記録された情報を再生するために前記光ディスクの記録面にレーザ光を照射して、該光ディスクからの反射光を受光する光ピックアップと、前記光ディスクのＮＢＣＡの情報を再生するために前記スピンドルモータの回転数を所定回転数に制御し、前記光ピックアップを介してＮＢＣＡの情報を再生させるＮＢＣＡ情報再生制御手段と、を備えた光ディスク装置において、前記スピンドルモータを回転制御するためのスピンドル出力を、前記スピンドルモータに対して出力する出力手段と、前記出力手段にＣＬＶ制御信号を出力して、前記スピンドルモータをＣＬＶ制御するＣＬＶ制御手段と、前記出力手段に定電圧制御信号を出力して、前記スピンドルモータを定電圧制御する定電圧制御手段と、前記光ディスクの所定物理アドレスにおいて、前記光ディスクのＮＢＣＡの情報を再生する際に用いられる前記所定回転数に対応する線速度でＣＬＶ制御し、このときの前記スピンドルモータに対する制御特徴量を検出する制御特徴量検出手段とを備え、前記ＮＢＣＡ情報再生制御手段は、前記ＮＢＣＡの情報を再生する際、前記制御特徴量に基づいて、前記スピンドルモータを定電圧制御することにより、スピンドルモータの回転数を前記所定回転数に制御し、ＦＧを用いることなくＮＢＣＡの情報を再生することを特徴とする。
【０００９】
請求項３の発明は、請求項２に記載の光ディスク装置において、前記制御特徴量が、前記スピンドル出力、前記スピンドルモータの逆起電圧、前記スピンドル出力のＤｕｔｙ比、及び前記ＣＬＶ制御信号のいずれかであることを特徴とする。
【発明の効果】
【００１０】
以上のように本発明によれば、光ディスクの所定物理アドレスにおいて、光ディスクのＮＢＣＡの情報を再生する際に用いられる所定回転数に対応する線速度でＣＬＶ制御して、このときのスピンドルモータに対する制御特徴量を検出し、ＮＢＣＡから情報を読み出す際、この制御特徴量に基づいて、スピンドルモータを定電圧制御することにより、スピンドルモータの回転数を所定回転数に制御するので、ＮＢＣＡから情報を読み出す際にＦＧを用いる必要がない。このため回転数を検出するための回路等を抹消することができる。
【発明を実施するための最良の形態】
【００１１】
以下、本発明の第１の実施形態に係る光ディスク装置について説明する。図１に示されるように、光ディスク装置１は、ＤＶＤ等の光ディスク２に記録された情報の再生等を行う装置であり、光ピックアップ１１と、光ディスクに記憶された情報の再生動作を制御する制御ＩＣ１２と、ローパスフィルタ１３と、制御ＩＣ１２からのスピンドル出力に基づいてスピンドルモータ１５を駆動させるドライバ１４と、光ディスク２を回転駆動するスピンドルモータ１５とを備えている。
【００１２】
光ピックアップ１１は、半導体レーザ、コリメータレンズ、ビームスプリッタ、対物レンズ、集光レンズ、及びフォトディテクタ等を有している。半導体レーザから発振されたレーザ光は、コリメータレンズ、ビームスプリッタ及び対物レンズを介して光ディスク２上に集光照射され、その反射光は、対物レンズ、ビームスプリッタ、及び集光レンズを介してフォトディテクタで受光される。フォトディテクタで検出された光の強弱は、ＲＦ信号に変換され、制御ＩＣ１２に出力される。
【００１３】
制御ＩＣ１２は、ＲＦ信号を増幅するＲＦアンプ３１と、ＲＦ信号をディジタル信号に変換し、８／１６復調、エラー訂正等を行う信号処理回路３２と、信号処理回路３２から入力されたディジタル信号をデコードして再生信号を得るデコード回路３３と、スピンドルモータ１５の回転速度を制御するためのスピンドル回転速度制御回路３４と、スピンドルモータ１５をＰＷＭ（Pulse  Width  Modulation）制御するためのスピンドル出力をスピンドルモータ１５に対して出力するＰＷＭ出力回路（出力手段）３５と、各種情報を記憶する記憶部３６と、制御ＩＣ１２全体を制御して光ディスク２からの情報の再生動作等を制御するＭＰＵ（ＮＢＣＡ情報再生制御手段、制御特徴量検出手段、平均値算出手段）３７と、入力されたアナログ信号をディジタル信号に変換してＭＰＵ３７に出力するＡ／Ｄ変換器３８とを備えている。
【００１４】
図２に示されるように、スピンドル回転速度制御回路３４は、ＰＷＭ出力回路３５にＣＬＶ制御信号を出力してスピンドルモータ１５をＣＬＶ制御するＣＬＶサーボ制御回路（ＣＬＶ制御手段）４１と、ＰＷＭ出力回路３４に定電圧制御信号を出力して、スピンドルモータ１５を定電圧制御する定電圧制御回路（定電圧制御手段）４２と、基準クロック（図３参照）に基づいて回転速度を制御するラフサーボ制御回路４３と、これら制御回路４１〜４３のいづれかを選択して、ＰＷＭ出力回路３５に制御信号を出力する選択回路４４と、制御回路４１〜４３からの制御信号の制御値を記憶するスピンドル出力用ＲＡＭ（Random  Access  Memory）４５とを備えている。スピンドルモータ１５の回転速度は、ラフサーボ制御回路４３の基準クロック５１に基づいてＭＡＸＬ５２により検出される。なお、ＭＡＸＬ５２は、例えば、ＤＶＤなら１４Ｔ＋４Ｔ長、ＣＤなら１１Ｔ＋１１Ｔ長の最長シンクパターンを１８Ｔ／２２Ｔ検出で検出し、これら最長シンクパターンについて基準クロック５１でカウントしたデータを保持する部分であり、スピンドルモータ１５の回転速度はこのデータに基づいて検出される。
【００１５】
次に、ＮＢＣＡの情報を再生する際にスピンドルモータ１５の回転数を１４４０ｒｐｍに制御するために用いられる制御特徴量を決定する制御特徴量決定処理について図４を参照して説明する。本実施形態においては、制御特徴量としてスピンドル出力が用いられる。
【００１６】
制御特徴量決定処理が開始されると、ＭＰＵ３７は、光ピックアップ１１を物理アドレス３００００ＨＥＸへシークすると共に（＃１）、スピンドルモータ１５をＣＬＶ制御して、ＣＬＶ倍速ｘを１．０４倍速に設定する（＃２）。このＣＬＶ倍速ｘは、光ディスク２のＮＢＣＡの情報を再生する際に用いられる回転数１４４０ｒｐｍに対応する、物理アドレス３００００ＨＥＸにおける線速度であり、物理アドレス３００００ＨＥＸの半径０．０２４ｍ、１倍速のＣＬＶ倍速における線速度３．４８ｍ／ｓを用いて以下の式（１）により算出される。なお、ステップ＃１においてシークする物理アドレスは、３００００ＨＥＸでなくてもよく、ステップ＃２おいて、各物理アドレスに応じて１４４０ｒｐｍに対応するＣＬＶ倍速に設定できればよい（後述する、第３乃至第６の実施形態についても同様）。
【数１】
2006172594.tif 000003
【００１７】
そして、ＭＡＸＬ５２によりＣＬＶ倍速ｘが１．０４倍速になったことを確認した後、Ａ／Ｄ変換器３８を介してスピンドル出力を取得し（＃３）、光ディスク１回転分のスピンドル出力の平均値を算出する（＃４）。図５（ａ）は、制御特徴量決定処理時のスピンドル出力の波形（以下、スピンドル波形という）Ｐ１を示しており、ステップ＃４において、Ｔで示される範囲（光ディスク１回転分）のスピンドル出力の平均値が算出される。そして、算出されたスピンドル出力の平均値を記憶部３６に記憶し（＃５）、処理を終了する。
【００１８】
ＮＢＣＡの情報を再生する際、ＭＰＵ３７は、スピンドル出力が上記制御特徴量決定処理により決定されたスピンドル出力の平均値になるように、図５（ｂ）に示されるスピンドル波形Ｐ２で定電圧制御することにより、スピンドルモータ１５の回転数を１４４０ｒｐｍに制御する。
【００１９】
以上のように本実施形態の光ディスク装置１によれば、光ディスク２の所定物理アドレスにおいて、光ディスク２のＮＢＣＡの情報を再生する際に用いられる１４４０ｒｐｍに対応する線速度でＣＬＶ制御して、このときのスピンドルモータ１５に対するスピンドル出力を検出し、ＮＢＣＡから情報を読み出す際、この制御特徴量に基づいて、スピンドルモータ１５を定電圧制御することにより、スピンドルモータ１５の回転数を１４４０ｒｐｍに制御するので、ＮＢＣＡから情報を読み出す際にＦＧを用いる必要がない。このため回転数を検出するための回路等を抹消することができる。
【００２０】
次に、本発明の第２の実施形態に係る光ディスク装置について説明する。本実施形態の光ディスク装置１は、制御特徴量決定処理において、所定物理アドレス（例えば、３００００ＨＥＸ）にシークすることなく制御特徴量を決定する点で第１の実施形態と異なる。なお、本実施形態において、ＭＰＵ３７は線速度算出手段としても機能する。
【００２１】
図６のフローチャートを参照して、本実施形態の制御特徴量決定処理について説明する。制御特徴量検出処理が開始されると、ＭＰＵ３７は、再生中の物理アドレス（以下、現アドレスという）ａを取得する（＃２１）。そして、物理セクタ長５．１５８４ｍｍ、トラックピッチ０．７４μｍ、物理アドレス３００００ＨＥＸの半径０．０２４ｍ、及び１倍速のＣＬＶ倍速における線速度３．４８ｍ／ｓの各値に基づいて、以下の式（２）を用いて、現アドレスａにおける１４４０ｒｐｍのＣＬＶ倍速ｘを算出する（＃２２）。そして、スピンドルモータ１５の回転速度を、ステップ＃２２で算出したＣＬＶ倍速ｘに設定する（＃２３）。
【数２】
2006172594.tif 000004
【００２２】
そして、ＭＡＸＬ５２によりＣＬＶ倍速がｘ倍速になったのを確認した後、スピンドル出力をＡ／Ｄ変換器３８を介して取得し（＃２４）、光ディスク１回転分について、スピンドル出力の平均値を算出する（＃２５）。そして、平均化されたスピンドル出力を記憶部３６に記憶し（＃２６）、処理を終了する。
【００２３】
ＮＢＣＡの情報を再生する際、ＭＰＵ３７は、上記制御特徴量決定処理により決定されたスピンドル出力の平均値になるようにスピンドルモータ１５を定電圧制御することにより、スピンドルモータ１５の回転数を１４４０ｒｐｍに制御する。
【００２４】
本実施形態の光ディスク装置１によれば、第１の実施形態と同様の効果が得られる他、制御特徴量を決定する際、所定物理アドレス（例えば、３００００ＨＥＸ）にシークすることなく制御特徴量を決定することができる。
【００２５】
次に、本発明の第３の実施形態に係る光ディスク装置について説明する。本実施形態の光ディスク装置１は、ＮＢＣＡの情報を再生する際に利用する制御特徴量として、スピンドルモータ１５の逆起電圧を用いる点で上記第１及び第２の実施形態と異なる。
【００２６】
図７に示されるように、本実施形態の光ディスク装置１は、逆起電圧検出回路６０を備えており、この逆起電圧検出回路６０は、オペアンプ６１、ドライバ１４、及びスピンドルモータ１５等により構成される。
【００２７】
次に、図８のフローチャートを参照して、本実施形態の制御特徴量決定処理について説明する。制御特徴量決定処理が開始されると、ＭＰＵ３７は、光ピックアップ１１を物理アドレス３００００ＨＥＸへシークすると共に（＃４１）、スピンドルモータ１５をＣＬＶ制御して、ＣＬＶ倍速を１．０４倍速に設定する（＃４２）。そして、ＭＡＸＬ５２によりＣＬＶ倍速が１．０４倍速になったのを確認した後、スピンドルモータの逆起電圧をＡ／Ｄ変換器３８を介して取得し（＃４３）、光ディスク１回転分の逆起電圧の平均値を算出する（＃４４）。そして、算出された逆起電圧の平均値を記憶部３６に記憶し（＃４５）、処理を終了する。
【００２８】
ＮＢＣＡの情報を再生する際、ＭＰＵ３７は、上記制御特徴量決定処理により決定された逆起電圧の平均値になるようにスピンドルモータ１５を定電圧制御することにより、スピンドルモータ１５の回転数を１４４０ｒｐｍに制御する。
【００２９】
本実施形態の光ディスク装置１によっても、第１の実施形態と同様に、ＦＧを用いることなく、ＮＢＣＡから情報を読み出すことができる。
【００３０】
次に、本発明の第４の実施形態に係る光ディスク装置について説明する。本実施形態の光ディスク装置１は、制御特徴量決定処理において、再生中のＣＬＶ倍速を変更することなく、制御特徴量を決定する点で第３の実施形態と異なる。
【００３１】
図９のフローチャートを参照して、本実施形態の制御特徴量決定処理について説明する。制御特徴量決定処理が開始されると、ＭＰＵ３７は、光ピックアップ１１を物理アドレス３００００ＨＥＸへシークすると共に（＃６１）、現ＣＬＶ倍速ｘｐを取得する（＃６２）。そして、現ＣＬＶ倍速ｘｐにおけるスピンドルモータ１５の逆起電圧をＡ／Ｄ変換器３８を介して取得し（＃６３）、光ディスク１回転分の逆起電圧の平均値ｖｐを算出する（＃６４）。
【００３２】
そして、物理アドレス３００００ＨＥＸの半径０．０２４ｍ、及び、１倍速のＣＬＶ倍速における線速度３．４８ｍ／ｓに基づいて、以下の式（３）を用いて、物理アドレス３００００ＨＥＸ、現ＣＬＶ倍速ｘｐにおける回転数ｒｐを算出する。例えば、現ＣＬＶ倍速ｘｐが１．５倍速の場合、回転数ｒｐは２０７７ｒｐｍとなる。
【数３】
2006172594.tif 000005
【００３３】
そして、スピンドルモータ１５の回転数と逆起電圧の関係が一次式で表されることを利用して、以下の式（４）により、１４４０ｒｐｍの逆起電圧の平均値ｖを算出し（＃６５）、算出された逆起電圧の平均値ｖを記憶部３６に記憶し（＃６６）、処理を終了する。
【数４】
2006172594.tif 000006
【００３４】
ＮＢＣＡの情報を再生する際、ＭＰＵ３７は、上記制御特徴量決定処理により決定された逆起電圧の平均値ｖになるようにスピンドルモータ１５を定電圧制御することにより、スピンドルモータ１５の回転数を１４４０ｒｐｍに制御する。
【００３５】
本実施形態の光ディスク装置１によれば、第３の実施形態と同様の効果が得られる他、任意のＣＬＶ倍速で、制御特徴量を決定することができる。
【００３６】
次に、本発明の第５の実施形態に係る光ディスク装置について説明する。本実施形態の光ディスク装置１は、ＮＢＣＡの情報を再生する際に利用する制御特徴量としてスピンドル出力のＤｕｔｙ比を用いる点で他の実施形態と異なる。
【００３７】
図１０に示されるように、本実施形態の光ディスク装置１においては、制御ＩＣ１２内部において、ＰＷＭ出力回路３５からのスピンドル出力をＡ／Ｄ変換器３８で変換し、ＭＰＵ３７に入力する。
【００３８】
図１１のフローチャートを参照して、本実施形態の制御特徴量決定処理について説明する。制御特徴量決定処理が開始されると、ＭＰＵ３７は、光ピックアップ１１を物理アドレス３００００ＨＥＸへシークすると共に（＃８１）、スピンドルモータ１５をＣＬＶ制御して、ＣＬＶ倍速を１．０４倍速に設定する（＃８２）。そして、ＭＡＸＬ５２によりＣＬＶ倍速が１．０４倍速になったのを確認した後、図１２（ｂ）に示されるスピンドル出力のＤｕｔｙ比（図中、ｔ２／ｔ１で示される比）を取得し（＃８３）、光ディスク１回転分（図１２（ａ）のＴで示される範囲）のスピンドル出力のＤｕｔｙ比を平均化する（＃８４）。そして、平均化されたスピンドル出力を記憶部３６に記憶し（＃８５）、処理を終了する。
【００３９】
ＮＢＣＡの情報を再生する際、ＭＰＵ３７は、上記制御特徴量決定処理により決定されたスピンドル出力のＤｕｔｙ比の平均値になるようにスピンドルモータ１５を定電圧制御することにより、スピンドルモータ１５の回転数を１４４０ｒｐｍに制御する。
【００４０】
本実施形態の光ディスク装置１によっても、第１の実施形態と同様に、ＦＧを用いることなく、ＮＢＣＡから情報を読み出すことができる。
【００４１】
次に、本発明の第６の実施形態に係る光ディスク装置について説明する。本実施形態の光ディスク装置１は、ＮＢＣＡの情報を再生する際に利用する制御特徴量として、ＣＬＶ制御信号を用いる点で他の実施形態と異なる。
【００４２】
図１３のフローチャートを参照して、本実施形態の制御特徴量決定処理について説明する。制御特徴量決定処理が開始されると、ＭＰＵ３７は、光ピックアップ１１を物理アドレス３００００ＨＥＸへシークすると共に（＃１０１）、スピンドルモータ１５をＣＬＶ制御して、ＣＬＶ倍速を１．０４倍速に設定する（＃１０２）。そして、ＭＡＸＬ５２によりＣＬＶ倍速が１．０４倍速になったのを確認した後、スピンドル出力用ＲＡＭ４５に記憶されているＣＬＶ制御信号（以下、スピンドル出力用ＲＡＭ値という）を取得し（＃１０３）、光ディスク１回転分のスピンドル出力用ＲＡＭ値の平均値を算出する（＃１０４）。そして、平均化されたスピンドル出力用ＲＡＭ値の平均値を記憶し（＃１０５）、処理を終了する。
【００４３】
ＮＢＣＡの情報を再生する際、ＭＰＵ３７は、上記制御特徴量決定処理により決定されたスピンドル出力用ＲＡＭ値の平均値になるようにスピンドルモータ１５を定電圧制御することにより、スピンドルモータ１５の回転数を１４４０ｒｐｍに制御する。
【００４４】
本実施形態の光ディスク装置１によっても、第１の実施形態と同様に、ＦＧを用いることなく、ＮＢＣＡから情報を読み出すことができる。
【００４５】
なお、本発明は上記実施形態の構成に限られることなく種々の変形が可能である。例えば、スピンドルモータ１５の制御はＰＷＭ制御によるものでなくてもよい。
【図面の簡単な説明】
【００４６】
【図１】本発明の第１の実施形態に係る光ディスク装置の構成を示すブロック図。
【図２】同光ディスク装置のスピンドル回転速度制御回路の構成を示すブロック図。
【図３】同スピンドル回転速度制御回路のラフサーボ制御回路の構成を示すブロック図。
【図４】同光ディスク装置による制御特徴量決定処理を示すフローチャート。
【図５】（ａ）は同制御特徴量決定処理時のスピンドル波形を示す図、（ｂ）はＮＢＣＡの情報再生時のスピンドル波形を示す図。
【図６】本発明の第２の実施形態に係る光ディスク装置による制御特徴量決定処理を示すフローチャート。
【図７】本発明の第３の実施形態に係る光ディスク装置の構成を示すブロック図。
【図８】同光ディスク装置による制御特徴量決定処理を示すフローチャート。
【図９】本発明の第４の実施形態に係る光ディスク装置による制御特徴量決定処理を示すフローチャート。
【図１０】本発明の第５の実施形態に係る光ディスク装置の構成を示すブロック図。
【図１１】同光ディスク装置による制御特徴量決定処理を示すフローチャート。
【図１２】（ａ）は同制御特徴量決定処理時のスピンドル波形を示す図、（ｂ）はスピンドル出力のＤｕｔｙ比を示す図。
【図１３】本発明の第６の実施形態に係る光ディスク装置による制御特徴量決定処理を示すフローチャート。
【図１４】光ディスクのＮＢＣＡの説明図。
【符号の説明】
【００４７】
１    光ディスク装置
２    光ディスク
１１  光ピックアップ
１２  制御ＩＣ
１５  スピンドルモータ
３３  ＭＰＵ（ＮＢＣＡ情報再生制御手段、線速度算出手段、制御特徴量検出手段、平均値算出手段）
３４  ＰＷＭ出力回路（出力手段）
４１  ＣＬＶサーボ制御回路（ＣＬＶ制御手段）
４２  定電圧制御回路（定電圧制御手段）
【図１】
2006172594.tif 000007
【図２】
2006172594.tif 000008
【図３】
2006172594.tif 000009
【図４】
2006172594.tif 000010
【図５】
2006172594.tif 000011
【図６】
2006172594.tif 000012
【図７】
2006172594.tif 000013
【図８】
2006172594.tif 000014
【図９】
2006172594.tif 000015
【図１０】
2006172594.tif 000016
【図１１】
2006172594.tif 000017
【図１２】
2006172594.tif 000018
【図１３】
2006172594.tif 000019
【図１４】
2006172594.tif 000020